(57)【要約】【課題】使用状態に応じて電子部品（カメラ、マイク、スピーカ等）を適宜所望の位置に配置させることができ、また、その操作の簡略化を図れ使用勝手に優れた折り畳み式携帯情報機器を提供する。【解決手段】折り畳み式携帯情報機器は、表示部２１を有する第１のケース２と、表示部２１を覆うようにして設けられる第２のケース３と、第１のケース２と第２のケース３とを折り畳み可能に連結するヒンジ部とを備える。ヒンジ部には、カメラ５０及びマイクを内蔵し、第１のケース２及び第２のケース３を開放した状態で、カメラ５０及びマイクが表示部２１と同じ側を向く初期位置と、表示部２１と反対側を向く回動位置との間で回動し、かつ、第１のケース２及び第２のケース３の折り畳み動作に連動して初期位置に復帰動作する電子部品内蔵ユニット５を設けた。【選択図】        図３
2004214946.tif 000002
【特許請求の範囲】
【請求項１】
表示部を有する第１のケースと、前記表示部を覆うようにして設けられる第２のケースと、前記第１のケースと前記第２のケースとを折り畳み可能に連結するヒンジ部とを備えた折り畳み式携帯情報機器であって、
前記ヒンジ部には、電子部品を内蔵し、前記第１及び第２のケースを開放した状態で、前記電子部品が前記表示部と同じ側又は反対側の一方を向く初期位置と、該初期位置と反対側を向く回動位置との間で回動し、かつ、前記第１及び第２のケースの折り畳み動作に連動して前記初期位置に復帰動作する回動ユニットを設けたことを特徴とする折り畳み式携帯情報機器。
【請求項２】
前記電子部品はカメラ及び又はマイクであり、前記初期位置で前記表示部と同じ側を向くことを特徴とする請求項１に記載の折り畳み式携帯情報機器。
【請求項３】
前記電子部品はスピーカであり、前記初期位置で前記表示部と反対側を向くことを特徴とする請求項１に記載の折り畳み式携帯情報機器。
【発明の詳細な説明】
【０００１】
【発明の属する技術分野】
本発明は、折り畳み式携帯情報機器、特に、ヒンジ部にカメラ等の電子部品が搭載された折り畳み式携帯情報機器に関する。
【０００２】
【従来の技術】
近年、携帯電話機やＰＤＡ、ノート型ＰＣ等の携帯型情報機器には、カメラが装備されており、カメラで撮影した動画像を含む画像情報を自機で再生したり、パソコンや他の携帯電話機等に転送できるようになっている。
ところで、このような携帯型情報機器に搭載されたカメラは、他人や風景だけでなくユーザ自身を撮影する機会も多く、使用状態に応じて適宜その向きを変更させる必要がある。つまり、カメラは、ユーザ自身を撮影する場合にはディスプレイと同じ側に向ける必要があり、他人や風景等の動画像を撮影する場合にはディスプレイと反対側に向ける必要がある。
【０００３】
そこで、例えば、カメラの向きを自在に変えることのできる携帯型電話機として、ディスプレイを有する第１の端末本体と、操作釦が設けられる第２の端末本体とを折り畳み可能に連結するヒンジ部にカメラを設ける技術が知られている（特許文献１）。そして、この技術では、第１の端末本体と第２の端末本体とを開いた状態で、ユーザがヒンジ部の回動軸を直接、手で回動させることによってカメラを所望の向きに向けられるようになっている。
【０００４】
【特許文献１】
特開２０００−２５３１２４号公報
【０００５】
【発明が解決しようとする課題】
しかしながら、上記特許文献１に示される携帯型電話機では、カメラを使用する際に回動軸を手で回動させて所望の向きにカメラを向けさせることができるが、カメラを使用した後に使用前の向きに戻すために随時、手で回動軸を回動させて配置させる必要があり、その操作が煩雑であった。
このような問題は、例えば、カメラがディスプレイを有する第１の端末本体の背面側に設けられている携帯型電話機等において、単一のマイクを動画等撮影時の集音用マイク及び通話用マイクとして、或いは動画等撮影時の集音用マイク及びナレーション入力用マイクとして切替使用するためにヒンジ部に設けた場合や、音楽や音声を再生する機能或いはゲーム機能を備えた携帯型電話機等において、単一のスピーカを着信報知用のスピーカ及び動画等再生時の音声やゲームの効果音等を出力する再生用スピーカとして切替使用するためにヒンジ部に設けた場合にも生じる。
すなわち、ヒンジ部に設けたマイクは、動画撮影時の集音マイクとして使用する際にはカメラと同じ側に向けられるが、当該マイクが通話用マイクとして使用されるものである場合には、撮影が終了するとマイクの向きをディスプレイと同じ側に向ける必要があり、また、通話用マイクが別に設けられていて、前記マイクが集音マイク及びナレーション入力用マイクとして使用されるものであったとしても、次回の撮影時にマイクが不本意な向きを向いた状態で撮影することが無いようにするためには、上述した２つの向きの何れか一方を通常状態（初期状態）として撮影終了時にその状態に戻す必要がある。
また、ヒンジ部に設けたスピーカは、音声や効果音の再生用スピーカとして使用する際にはディスプレイと同じ側に向けられるが、当該スピーカが着信報知用のスピーカとしても使用されるものである場合には、動画等の再生やゲームが終了した際には、ケースを折り畳んでいても着信報知音が良く聞こえるようにケースの外表面側に向ける必要がある。
【０００６】
本発明は、上記事情に鑑みてなされたもので、使用状態に応じて電子部品（カメラ、マイク、スピーカ等）を適宜所望の向きに向けさせることができ、また、電子部品の向きを初期状態に戻し忘れたとしても機器ケースの折り畳み動作に連動して初期状態に復帰させることができる使用勝手に優れた折り畳み式携帯情報機器を提供することを課題としている。
【０００７】
【課題を解決するための手段】
上記課題を解決するために、請求項１の発明は、表示部を有する第１のケースと、前記表示部を覆うようにして設けられる第２のケースと、前記第１のケースと前記第２のケースとを折り畳み可能に連結するヒンジ部とを備えた折り畳み式携帯情報機器であって、
前記ヒンジ部には、電子部品を内蔵し、前記第１及び第２のケースを開放した状態で、前記電子部品が前記表示部と同じ側又は反対側の一方を向く初期位置と、該初期位置と反対側を向く回動位置との間で回動し、かつ、前記第１及び第２のケースの折り畳み動作に連動して前記初期位置に復帰動作する回動ユニットを設けたことを特徴とする。
【０００８】
請求項１の発明によれば、ヒンジ部には、電子部品を内蔵し、第１及び第２のケースを開放した状態で、初期位置と回動位置との間で回動する回動ユニットを設けたので、使用状態に応じて回動ユニットを回動させることにより、電子部品を表示部と同じ側又は反対側に適宜配置させることができる。したがって、例えば、電子部品がカメラである場合には、カメラの位置を変えることによって、１個のカメラでユーザ自身や、風景、他人等を自在に撮影することが可能となる。また、電子部品がマイクである場合には１個のマイクを通話用マイクや撮影時の集音用マイクとして、或いは撮影時の集音用マイクやナレーション入力用マイクとして切替使用することができる。さらに、電子部品がスピーカである場合には、１個のスピーカを電話の着信報知用スピーカや動画・静止画に付随する音声やゲームの効果音等の再生用スピーカとして切替使用するができる。
また、回動ユニットは、第１のケース及び第２のケースの折り畳み動作に連動して初期位置に復帰動作するので、開放した状態で回動位置に配置されていた場合に、随時、初期位置に戻さなくても折り畳み動作に連動して自動的に初期位置に復帰動作する。したがって、初期位置への復帰操作の簡略化が図れ使用勝手に優れる。
【０００９】
請求項２の発明は、請求項１に記載の折り畳み式携帯情報機器において、
前記電子部品はカメラ及び又はマイクであり、前記初期位置で前記表示部と同じ側を向くことを特徴とする。
【００１０】
請求項２の発明によれば、第１のケース及び第２のケースを開放した状態で、カメラ及び又はマイクが表示部と同じ側、つまりユーザ側を向く。したがって、電子部品がカメラである場合には、第１のケース及び第２のケースを開放してすぐにユーザ自身を撮影することができる。また、電子部品がマイクである場合には、第１のケース及び第２のケースを開放してすぐに発着呼の操作をしても、使用者の音声を確実にマイクで拾うことができる。
また、前記開放状態において、回動ユニットを回動位置に回動することによってカメラ又はマイクを表示部と反対側に向けることができる。したがって、カメラによって他人や風景を撮影でき、また、マイクによって臨場感ある音声を収めることが可能となる。
【００１１】
請求項３の発明は、請求項１に記載の折り畳み式携帯情報機器において、
前記電子部品はスピーカであり、前記初期位置で前記表示部と反対側を向くことを特徴とする。
【００１２】
請求項３の発明によれば、第１のケース及び第２のケースを折り畳んだ状態で、スピーカが表示部と反対側を向く。したがって、ユーザが画像を見たりゲームをした後に回動ユニットを回動位置から初期位置に戻し忘れた場合でも、折り畳み動作に連動して自動的に初期位置に復帰動作してスピーカが表示部と反対側を向くので、電話着信等があっても音量が小さくなることがなく、規定通りの呼び出し音量で通知することができる。
また、前記開放状態において、回動ユニットを回動位置に回動することによってスピーカを表示部と同じ側に向けることができる。したがって、動画や静止画に付随する音声やゲームの効果音が耳に達するまでのロスが少なく、迫力のある音声や音で楽しむことができる。
【００１３】
【発明の実施の形態】
以下、本発明の第１及び第２の実施の形態を、携帯電話機を例に図面に基づいて説明する。
［第１の実施の形態］
図１は、本発明の第１の実施の形態に係る第１のケース及び第２のケースの開放状態を示す折り畳み式携帯情報機器（携帯電話機）の上面図、図２は、回動ユニットの上断面図、図３は、折り畳み式携帯情報機器の動作を説明するための側断面図であり、（ａ）は、第１のケース及び第２のケースの開放状態、（ｂ）は、回動ユニットを回動した状態、（ｃ）は、第１のケース及び第２のケースの折り畳み状態を示している。
まず、第１の実施の形態の折り畳み式携帯情報機器の構成について説明する。
【００１４】
図１に示すように、折り畳み式携帯情報機器（携帯電話機）１は、第１のケース２と、第２のケース３と、第１のケース２と第２のケース３とを折り畳み可能に連結するヒンジ部４とを備えている。
第１のケース２の内面には、画像を表示できる表示部２１及び通話用のスピーカ孔２ａが設けられている。また、図示しないが第１のケース２内にはアンテナや表示ドライバ、通話用スピーカ等が設けられている。
第２のケース３の内面には、各種の操作釦３１及び通話用のマイク孔３ａが設けられている。また、図示しないが第２のケース３内にはＣＰＵやバッテリ等が設けられている。
【００１５】
ヒンジ部４は、第１のケース２に設けられた回動軸２ｂと、第２のケース３に設けられた回動軸支持部３ｂとによって構成され、これら回動軸２ｂと回動支持部３ｂとが互いに連結されることによって、第１のケース２と第２のケース３とがそれぞれの内面を互いに向き合わせるようにして閉じたり開いたりできるようになっている。
また、図２に示すように、ヒンジ部４には、カメラ５０とマイク５１とを内蔵し、かつ、第１のケース２及び第２のケース３を開放した状態で、カメラ５０（カメラ孔５２ａ）及びマイク５１（マイク孔５２ｂ）が表示部２１と同じ側を向く初期位置と、カメラ５０及びマイク５１が前記初期位置と反対側（すなわち、第１のケース２の裏面側）を向く回動位置との間で回動し、かつ、第１のケース２及び第２のケース３の折り畳み動作に連動して初期位置に復帰動作する回動ユニット５が設けられている（図２中、回動ユニット５は矢印方向に回動する）。
【００１６】
ここで、回動ユニット５の構造について詳細に説明する。
図２に示すように、回動ユニット５は、カメラ５０、マイク５１、ユニットケース５２、Ｅリング５３、ＦＰＣ（フレキシブル配線体）５４等を備えて概略構成されている。なお、図２中の５５は、第１のケース２内の回路と第２のケース３内の回路とを接続するＦＰＣである。
【００１７】
カメラ５０とマイク５１は、ユニットケース５２に収容されており、ユニットケース５２の中心軸５２ｃが第１のケース２に対して回動可能に嵌合され、Ｅリング５３によって抜けないように支持されている。そして、ユニットケース５２は、その中心軸５２ｃを中心として上記初期位置と回動位置との間で指によって回動し、かつ、第１のケース２及び第２のケース３の折り畳み動作に連動して初期位置に復帰動作するように構成されている。
すなわち、ユニットケース５２の側面には、該側面から突出する凸部５２ｄが形成されている。一方、第１のケース２の側面にも、該側面から突出し、ユニットケース５２の回動ストッパーとしての凸部２ｃが形成されている。そして、後述するが、図３（ａ）の開放状態において、手でユニットケース５２を初期位置から回動位置に回動させると、上記ユニットケース５２の凸部５２ｄが第１のケース２の凸部２ｃに当接することによって、その回動が停止されるようになっている（図３（ｂ）参照）。また、図３（ｂ）の開放状態から第１のケース２を第２のケース３に対して折り畳むと、これに連動して第１のケース２の凸部２ｃがユニットケース５２の凸部５２ｄを押していき第１のケース２及び第２のケース３が折り畳まれた状態で、その回動が停止されるようになっている（図３（ｃ）参照）。
【００１８】
なお、ユニットケース５２の中心軸５２ｃには、一端がカメラ５０とマイク５１とに接続され、他端が第１のケース２内に引き込まれて図示しない回路に接続されたＦＰＣ５４が巻き付けられている。ＦＰＣ５４は、ユニットケース５２が指で回動されても、ユニットケース５２の中心軸５２ｃに対して緩む（巻き付き径が大きくなる）、あるいは、締まる（巻き付き径が小さくなる）の緩やかな変化しか起こさないので、大きな応力発生が無く、断線することはない。
【００１９】
次に、図３に基づいて折り畳み式携帯情報機器１の動作について説明する。
図３（ａ）は、第１のケース２及び第２のケース３の開放状態を示す図である。この開放状態では、回動ユニット５は、カメラ５０（カメラ孔５２ａ）及び不図示のマイク５１（マイク孔５２ｂ）が表示部２１と同じ側を向く初期位置に配置され、第１のケース２の凸部２ｃとユニットケース５２の凸部５２ｄとが互いに離れた状態とされている。
この開放状態では、回動ユニット５が回動自在とされているので、初期位置に配置された回動ユニット５を時計方向に回動させると、ユニットケース５２の凸部５２ｄが第１のケース２の凸部２ｃに当接し、これによって回動ユニット５の回動が停止されるとともに回動位置に配置され、カメラ５０（カメラ孔５２ａ）及びマイク５１（マイク孔５２ｂ）が表示部２１と反対側を向く（図３（ｂ）参照）。
このように回動ユニット５が回動位置に配置された状態から、第１のケース２及び第２のケース３を折り畳むと、折り畳み動作に連動して第１のケース２の凸部２ｃが反時計方向に回動するとともに、ユニットケース５２の凸部５２ｄを同時に押していき、ケース２の凸部５２ｄも反時計方向に回動して停止する。そして、カメラ５０（カメラ孔５２ａ）及びマイク５１（マイク孔５２ｂ）が表示部２１と同じ側を向く。このようにして、第１のケース２及び第２のケース３が折り畳まれる（図３（ｃ）参照）。
【００２０】
また、第１のケース２及び第２のケース３を折り畳んだ状態から、再び、第１のケース２を第２のケース３に対して開放すると、ユニットケース５２の凸部５２ｄに当接していた第１のケース２の凸部２ｃが時計方向に回動して、ユニットケース５２の凸部５２ｄと第１のケース２の凸部２ｃとが離れた状態で停止する（図３（ａ）参照）。このとき、第１のケース２の凸部２ｃは時計方向に回動するので、ユニットケース５２の凸部５２ｄを押すことがなく、回動ユニット５は回動せずに、カメラ５０（カメラ孔５２ａ）及びマイク５１（マイク孔５２ｂ）は表示部２１と同じ側を向いたままとなる。
【００２１】
以上、本発明の第１の実施の形態の折り畳み式携帯情報機器１によれば、第１のケース２及び第２のケース３を開放した状態で、カメラ５０（カメラ孔５２ａ）及びマイク５１（マイク孔５２ｂ）が表示部２１と同じ側、つまりユーザ側を向くので、第１のケース２及び第２のケース３を開放してすぐに、ユーザ自身を撮影することができ、また撮影画像に音声によるコメントを付すことができる。また、開放状態において、回動ユニット５を回動位置に回動することによってカメラ５０（カメラ孔５２ａ）及びマイク５１（マイク孔５２ｂ）を表示部２１と反対側に向けることができるので、撮影時に臨場感ある音声を収めることが可能となる。
さらに、回動ユニット５は、第１のケース２及び第２のケース３の折り畳み動作に連動して初期位置に復帰動作するので、開放状態において回動ユニット５が回動位置に配置され、カメラ５０（カメラ孔５２ａ）及びマイク５１（マイク孔５２ｂ）が表示部２１と反対側を向いていた場合に、随時、回動ユニット５を手で回動して初期位置に戻さなくても折り畳み動作に連動して自動的に初期位置に復帰動作し、カメラ５０（カメラ孔５２ａ）及びマイク５１（マイク孔５２ｂ）も表示部２１と同じ側を向く。したがって、初期位置への復帰操作の簡略化が図れ使用勝手に優れる。
【００２２】
なお、上記第１の実施の形態において、マイク５１は撮影時の集音用としてだけではなく通話用マイクとして使用できるようにしてもよい。このようにすると、第２のケース３内に設けている通話用のマイクが不要となるので部品点数が削減できるとともに、携帯電話機１をテレビ電話として使用することが可能となる。
また、上記第１の実施の形態においては、ユニットケース５２内にカメラ５０とマイク５１とを収納する構成としたが、何れか一方のみを収納する構成でもよい。例えば、カメラのみを収納する構成とした場合、集音用マイクは第１のケース２或いは第２のケース３の背面側に設けるのが望ましく、マイクのみを収納する構成とした場合、カメラを第１のケース２の背面側に設けるのが望ましい。そして、ユニットケース５２内にマイクのみを収納する構成とした場合、ユニットケース５２を回動させることにより、当該マイクを撮影時の集音マイク及びナレーション入力用マイクとして切替使用することができる。なお、ユニットケース５２内にカメラのみを収納する構成とした場合は、第２のケース３内に設けている通話用マイクを撮影時のナレーション入力用マイクとして使用すれば良い。
【００２３】
［第２の実施の形態］
図４は、本発明の第２の実施の形態に係る第１のケース及び第２のケースの開放状態を示す折り畳み式携帯情報機器（携帯電話機）の上面図、図５は、機器ケースを開いた直後の回動ユニットの上断面図、図６は、機器ケースを開いた状態で回動ユニットを回動させた後の回動ユニットの上断面図、図７は、折り畳み式携帯情報機器の動作を説明するための側断面図であり、（ａ）は、第１のケース及び第２のケースの開放状態、（ｂ）は、回動ユニットを回動した状態、（ｃ）は、第１のケース及び第２のケースの折り畳み状態を示している。
なお、第２の実施の形態の折り畳み式携帯情報機器１１は、回動ユニット１５に内蔵される電子部品がスピーカ１５１とされており、スピーカ１５１は初期位置で表示部１２１と反対側を向き、回動位置で表示部１２１と同じ側を向き、その他の構成や動作等は第１の実施の形態と同様であるので、同様の点についての説明は省略し、異なる点についてのみ説明する。
【００２４】
図４に示すように、折り畳み式携帯情報機器１１は、表示部１２１及び通話用のスピーカ孔１２ａを有する第１のケース１２と、各種操作釦１３１及び通話用のマイク孔１３ａを有する第２のケース１３と、第１のケース１２と第２のケース１３とを折り畳み可能に連結するヒンジ部１４とを備えている。
また、図５及び図６に示すように、ヒンジ部１４には、スピーカ１５１を内蔵し、かつ、第１のケース１２及び第２のケース１３を開放した状態で、スピーカ１５１（スピーカ１５１の放音孔１５２ａ）が表示部１２１と反対側を向く初期位置（図５及び後述する図７（ａ）参照）と、スピーカ１５１が表示部１２１と同じ側を向く回動位置（図４、図６及び後述する図７（ｂ）参照）との間で回動し、かつ、第１のケース１２及び第２のケース１３の折り畳み動作に連動して初期位置に復帰動作する回動ユニット１５が設けられている（図５中、回動ユニット１５は矢印方向に回動する）。
【００２５】
回動ユニット１５は、図５に示すように、スピーカ１５１、ユニットケース１５２、Ｅリング１５３、ＦＰＣ１５４等を備えて概略構成されている。なお、図５中の１５２ｃは、ユニットケース１５２の側面から突出する凸部、１２ｃは第１のケース１２の側面から突出する回動ストッパーとしての凸部、１５５は、第１のケース１２内の回路と第２のケース１３内の回路とを接続するＦＰＣである。そして、ユニットケース１５２は、その中心軸１５２ｂを中心として上記初期位置と回動位置との間で指によって回動し、かつ、第１のケース１２及び第２のケース１３の折り畳み動作に連動して初期位置に復帰動作するように構成されている。なお、第２の実施の形態における凸部１５２ｃ及び凸部１２ｃは、それぞれ図２に示した第１の実施の形態における凸部５２ｄ及び凸部２ｃに対応するものであるが、その配置位置は第１の実施の形態とは逆位置になっている。
したがって、図５及び図７（ａ）の開放状態において、手でユニットケース１５２を初期位置から回動位置に回動させると、ユニットケース１５２に形成された凸部１５２ｃが第１のケース１２に形成された凸部１２ｃに当接することによって、その回動が停止されるようになっている（図６及び図７（ｂ）参照）。また、図７（ｂ）の開放状態から第１のケース１２を第２のケース１３に対して折り畳むと、これに連動して第１のケースの凸部１２ｃがユニットケース１５２の凸部１５２ｃを押していき、第１のケース１２及び第２のケース１３が折り畳まれた状態で、その回動が停止されるようになっている（図７（ｃ）参照）。
【００２６】
以上、第２の実施の形態の折り畳み式携帯情報機器１１によれば、第１のケース１２及び第２のケース１３の折り畳み動作に連動してスピーカ１５１（スピーカ孔１５２ａ）が表示部１２１と反対側を向く。したがって、ユーザが画像を見た後に回動ユニット５１を回動位置から初期位置に戻し忘れた場合でも、折り畳み動作に連動して自動的に初期位置に復帰動作して、スピーカ１５１（スピーカ孔１５２ａ）も表示部１２１と反対側を向くので、初期位置への操作の簡略化が図れ使用勝手に優れる。また、電話着信等があっても音量が小さくなることがなく規定通りの呼び出し音量で通知することができる。
また、開放状態において、回動ユニット１５を回動位置に回動することによってスピーカ１５１（スピーカ孔１５２ａ）を表示部１２１と同じ側に向けることができるので、動画や静止画等に付随した音声やゲームの効果音等が耳に達するまでのロスが少なく、迫力のある音声や音で楽しむことができる。
【００２７】
なお、第２の実施の形態において、カメラは第１のケース１２の裏面側に設けても良いし、カメラのみを内蔵した回動ユニットを個別に設けるようにしても良い。ただし、カメラを内蔵した回動ユニットをヒンジ部に追加して設ける場合には、追加の回動ユニットに設ける凸部及び第１のケースに設ける凸部の配置関係を第１の実施の形態と同じにして、カメラが初期位置で表示部１２１と同じ側を向き、回動位置で表示部１２１と反対側を向くようにするのが望ましい。
また、上記実施の形態において電子部品をスピーカ１５１としたが、例えば、ピエゾ素子やブザー等であっても良い。
【００２８】
さらに、スピーカ１５１は、その上面に放音孔が形成されたものを使用して、スピーカ１５１の上面が表示部１２１と同じ側又は表示部１２１と反対側を向くように設置したが、例えば図８に示すように、スピーカ１５１をヒンジ部１４の円筒方向に向けて収納し、スピーカ１５１の放音孔１５１ａがヒンジ部１４の円筒方向に向くようにしてもよい。なお、この場合も、ユニットケース１５２に形成するスピーカ孔は、初期状態で表示部１２１と反対側を向くようにする。
【００２９】
第１の実施の形態及び第２の実施の形態において、ユニットケースに形成した凸部５２ｄ、１５２ｃは、第１のケースに形成した凸部２ｃ、１２ｃに嵌合することにより回動ユニット５、１５が回動自在とされていたが、例えば、第２のケース３、１３に同様の凸部を形成して、この第２のケースの凸部にユニットケースの凸部が嵌合するように構成しても良い。
さらに、カメラ５０、マイク５１、スピーカ１５１の配線はマイクＦＰＣ５４やスピーカＦＰＣ１５４としたが、これに限らず例えば、リード線や、ＰＤＡやパソコンで使用するシールド線であっても良い。
また、ユニットケース５２、１５２の抜け止めとしてＥリング５３、１５３を使用したが、他のリングやケース形状で嵌め込むことによって抜けない構造にしても良い。
【００３０】
【発明の効果】
請求項１の発明によれば、ヒンジ部には、第１のケース及び第２のケースを開放した状態で、電子部品が初期位置と回動位置との間で回動する回動ユニットが設けられているので、使用状態に応じて回動ユニットを初期位置と回動位置との間で回動させることにより、電子部品を表示部と同じ側又は反対側に適宜配置させることができる。
また、回動ユニットは、第１のケース及び第２のケースの折り畳み動作に連動して初期位置に復帰動作するので、初期位置への復帰操作の簡略化が図れ使用勝手に優れる。
【００３１】
請求項２の発明によれば、請求項１と同様の効果を得ることができるのは勿論のこと、第１のケース及び第２のケースを開放してすぐに、カメラによってユーザ自身を撮影でき、また、マイクによって通話音声を収めて通話応対することができる。
また、開放状態において、カメラ又はマイクを表示部と反対側に向けることができるので、カメラによって他人や風景を撮影でき、また、マイクによって臨場感ある音声を収めることが可能となる。
【００３２】
請求項３の発明によれば、請求項１と同様の効果を得ることができるのは勿論のこと、電話着信等があっても音量が小さくなることがなく規定通りの呼び出し音量で通知することができる。
また、開放状態において、スピーカを表示部と同じ側に向けることができるので、スピーカによって動画・静止画等を音質良く再生でき、迫力のある音声で楽しむことができる。
【図面の簡単な説明】
【図１】本発明の第１の実施の形態を示すためのもので、第１のケース及び第２のケースの開放状態を示す折り畳み式携帯情報機器の上面図である。
【図２】同、回動ユニットの上断面図である。
【図３】同、折り畳み式携帯情報機器の動作を説明するための側断面図であり、（ａ）は第１のケース及び第２のケースの開放状態、（ｂ）は回動ユニットを回動した状態、（ｃ）は第１のケース及び第２のケースの折り畳み状態を示している。
【図４】本発明の第２の実施の形態を示すためのもので、第１のケース及び第２のケースの開放状態を示す折り畳み式携帯情報機器の上面図である。
【図５】同、機器ケースを開いた直後の回動ユニットの上断面図である。
【図６】同、機器ケースを開いた状態で回動ユニットを回動させた後の回動ユニットの上断面図である。
【図７】同、折り畳み式携帯情報機器の動作を説明するための側断面図であり、（ａ）は第１のケース及び第２のケースの開放状態、（ｂ）は回動ユニットを回動した状態、（ｃ）は第１のケース及び第２のケースの折り畳み状態を示している。
【図８】第２の実施の形態の変形例を示すためのもので、回動ユニットの側断面図である。
【符号の説明】
１、１１  折り畳み式携帯情報機器
２、１２  第１のケース
３、１３  第２のケース
４、１４  ヒンジ部
５、１５  回動ユニット
２１、１２１  表示部
５０  カメラ
５１  マイク
１５１  スピーカ
【図１】
2004214946.tif 000003
【図２】
2004214946.tif 000004
【図３】
2004214946.tif 000005
【図４】
2004214946.tif 000006
【図５】
2004214946.tif 000007
【図６】
2004214946.tif 000008
【図７】
2004214946.tif 000009
【図８】
2004214946.tif 000010